(57)【要約】【課題】  塩素原液の減少ないし無くなったこと、また、塩素希釈液が一定量減少した場合の検知を柔軟性で袋状とした塩素原液袋、塩素希釈液袋を利用して安価な構成で液量を検知すること。また、塩素原液袋及び塩素希釈液袋を袋状にして、塩素液に直接空気と接触することを極力抑えること。【解決手段】  塩素希釈液生成装置３０には、塩素原液を貯留しておく柔軟性で袋状の塩素原液袋３１と、この塩素原液袋３１を配置しているケース４６と、前記塩素原液袋３１の上に載置されて前記ケース４６に開閉自在に設けられているフタ体５３と、前記ケース４６に配設されて塩素原液袋３１内の塩素原液の減少ないし無くなった際に前記フタ体５３にて駆動される原液検知用センサー５０とを備えている。【選択図】        図４
2005103532.tif 000002
【特許請求の範囲】
【請求項１】
公営の水道水（Ｗ）に含まれている塩素や有機物を除去する浄水器（１５）と、この浄水器（１５）からの水をミネラル水（Ｍ）として生成するミネラル水生成手段（１７）と、このミネラル水生成手段（１７）からのミネラル水（Ｍ）を出水させる注水口（６）と、この注水口（６）へのミネラル水（Ｍ）の出水、止水を行なう弁体（２０）と、この弁体（２０）を開閉制御して所定量のミネラル水（Ｍ）を前記注水口（６）より出水制御する制御手段（６０）と、前記ミネラル水生成手段（１７）からの生成水を取り入れて該生成水と内蔵してある塩素原液を注入して塩素希釈液を生成すると共に、前記注水口（６）からミネラル水（Ｍ）を出水する際に前記塩素希釈液を該ミネラル水（Ｍ）に注入する塩素希釈液生成装置（３０）とを備えているミネラルウォータ自動販売装置であって、
前記塩素希釈液生成装置（３０）には、塩素原液を貯留しておく柔軟性で袋状の塩素原液袋（３１）と、この塩素原液袋（３１）を配置しているケース（４６）と、前記塩素原液袋（３１）の上に載置されて前記ケース（４６）に開閉自在に設けられているフタ体（５３）と、前記ケース（４６）に配設されて塩素原液袋（３１）内の塩素原液の減少ないし無くなった際に前記フタ体（５３）にて駆動される原液検知用センサー（５０）とを備えていることを特徴とするミネラルウォータ自動販売装置における塩素希釈液生成装置。
【請求項２】
公営の水道水（Ｗ）に含まれている塩素や有機物を除去する浄水器（１５）と、この浄水器（１５）からの水をミネラル水（Ｍ）として生成するミネラル水生成手段（１７）と、このミネラル水生成手段（１７）からのミネラル水（Ｍ）を出水させる注水口（６）と、この注水口（６）へのミネラル水（Ｍ）の出水、止水を行なう弁体（２０）と、この弁体（２０）を開閉制御して所定量のミネラル水（Ｍ）を前記注水口（６）より出水制御する制御手段（６０）と、前記ミネラル水生成手段（１７）からの生成水を取り入れて該生成水と内蔵してある塩素原液を注入して塩素希釈液を生成すると共に、前記注水口（６）からミネラル水（Ｍ）を出水する際に前記塩素希釈液を該ミネラル水（Ｍ）に注入する塩素希釈液生成装置（３０）とを備えているミネラルウォータ自動販売装置であって、
前記塩素希釈液生成装置（３０）には、塩素原液を貯留している塩素原液袋（３１）を配置しているケース（４６）と、前記ケース（４６）が上面に載置され前記塩素原液袋（３１）内の塩素原液と生成水とで生成した塩素希釈液を貯留しておく柔軟性で袋状の塩素希釈液袋（３８）と、この塩素希釈液袋（３８）内の塩素希釈液が一定量減少した際に前記ケース（４６）にて駆動される希釈液検知センサー（４７）とを備えていることを特徴とするミネラルウォータ自動販売装置における塩素希釈液生成装置。
【発明の詳細な説明】
【技術分野】
【０００１】
本発明は、直結された公営水道の水道水から内部でミネラル水を生成し、該ミネラル水の販売を行なう場合に、販売後のミネラル水の雑菌の繁殖を防止するために、容器へのミネラル水の注水時に希釈塩素を注入するようにしたミネラルウォータ自動販売装置に関するものであり、より詳しくは希釈塩素を生成するためのミネラルウォータ自動販売装置における塩素希釈液生成装置に関するものである。
【背景技術】
【０００２】
入力側が公営水道に直結され、この直結された公営水道の水道水から内部でミネラル水を生成し、該ミネラル水の販売を行なうこの種の公営水道オンライン式のミネラルウォータ自動販売装置として、例えば、特許文献１に示すものがある。
【０００３】
【特許文献１】特開平１０−４０４５９号公報（特許第２９３５３４７号）
【特許文献２】特開平８−２０６６６６号公報（特許第２７０９７００号）
【０００４】
この特許文献１は、本出願人の発明に係るものであり、麦飯石などの鉱石を粉末砂状にしたものをミネラル溶出素材とし、粉末砂状の麦飯石などの鉱石と公営水道の水道水とを接触させてミネラル水を生成している。そして、この生成したミネラル水を吐出する際に別途に設けた塩素滴下装置から希釈した塩素をミネラル水に注入し、利用者が容器に入れたミネラル水を持ち帰った後も、雑菌の繁殖を防止するようにしている。
【０００５】
このようにして、特許文献１においては、所定量のミネラル水を計り売りをして、消費者に雑菌の繁殖を防止した安全で低コストなミネラル水を供給ないし販売を行ない、消費者に重宝がられている。
【０００６】
また、上記特許文献２も本出願人の発明に係るものであり、この特許文献２において塩素原液を入れたタンクを内蔵し、このタンクからの塩素原液を内部で生成した生成水（ミネラル水）に混入して塩素希釈液を生成し、この生成した希釈塩素をミネラル水を容器に注水する際に注入するようにしている。
【０００７】
図１２は特許文献２における塩素原液から塩素希釈液を生成する塩素希釈液生成装置８１の構成図を示し、塩素原液を入れるタンクとしての塩素原液袋８２内には塩素原液が入れてあり、この塩素原液袋８２から塩素原液が電磁弁８３及びチューブ８４を介して塩素希釈液袋８５内に注入されるようになっている。
一方、この塩素希釈液袋８５内に生成した所定量の生成水（ミネラル水）がチューブ８６を介して注入される際に、上記チューブ８４を介して塩素原液が注入されることで、塩素希釈液袋８５内では塩素希釈液が生成される。
【０００８】
塩素希釈液袋８５内では一定の塩素濃度に調整された希釈塩素が上述したようにミネラル水の販売時（注水時）に該ミネラル水に注入されることで、注水した容器内のミネラル水は一定の塩素濃度に調整され、販売後の雑菌の繁殖を防止し、安全でおいしいミネラル水を提供している。
【０００９】
しかしながら、かかる従来の塩素希釈液生成装置８１では、以下に示すような問題が発生していた。
すなわち、上述したように塩素原液を塩素希釈液袋８５に注入して塩素希釈液を生成した後は、電磁弁８３は遮断された状態を維持し、塩素希釈液袋８５内の塩素希釈液が一定量以下になるまで使用し続けられる。そして、塩素希釈液が一定量以下になると、生成水と塩素原液が塩素希釈液袋８５内に注入されて塩素希釈液を生成するようにしている。
【００１０】
塩素希釈液袋８５内で塩素希釈液が生成された直後の満杯状態では、塩素希釈液袋８５内の塩素希釈液の塩素濃度は全体にわたって一定に調整されている。しかしながら、塩素希釈液を注水して使用していくと、塩素希釈液袋８５内の塩素希釈液は徐々に減っていく。
また、塩素希釈液袋８５内で塩素希釈液を生成した場合、塩素希釈液袋８５内では塩素原液は生成水により希釈化されているが、電磁弁８３と塩素希釈液袋８５を接続しているチューブ８４内には塩素原液Ａが残留している状態となっている。なお、塩素希釈液袋８５内の塩素希釈液は、例えば、塩素原液Ａの１／３００に希釈化している。
【００１１】
塩素希釈液袋８５の塩素希釈液を使用していくに従って、塩素希釈液は減少していき、この塩素希釈液袋８５内の塩素希釈液が減少していくと、チューブ８４内の塩素原液Ａが塩素希釈液袋８５内に漏れ出して注入されていく。しかも、塩素希釈液袋８５内は負圧になっているので、この負圧力によりチューブ８４の塩素原液Ａはさらに塩素希釈液袋８５内に吸い込まれることになる。
【００１２】
そのため、塩素希釈液袋８５内の塩素希釈液は、希釈化された希釈塩素と、塩素原液Ａの塩素濃度にほぼ近い液とが混在した状態となる。しかも、塩素希釈液袋８５自体はミネラルウォータ自動販売装置の内部に納装されていて、塩素希釈液袋８５自体を手などで持って攪拌できないので、塩素希釈液は、所定の塩素濃度と、所定の塩素濃度より何十倍もの濃い塩素濃度の塩素希釈液が混在した状態となっている。
【００１３】
このような状態において、ミネラル水に塩素希釈液袋８５より希釈塩素を注入すると、所定の塩素濃度より何十倍も濃い希釈塩素が注水されることになり、ミネラル水を注水した利用者は、いわゆる塩素臭いミネラル水を購入することになる。そのため、利用者に不快感を与えてしまい、また、ミネラルウォータ自動販売装置にてミネラル水を供給する側、例えば、スーパー側（店側）は信用を損ねることにもなる。
【発明の開示】
【発明が解決しようとする課題】
【００１４】
本発明は上述の問題点に鑑みて提供したものであって、生成水に塩素原液を注入して塩素希釈液を生成する場合に、生成中はもちろん生成後においても塩素希釈液の塩素濃度を一定に維持させて、ミネラル水に注入する塩素希釈液の塩素濃度を一定にさせることを目的としたミネラルウォータ自動販売装置における塩素希釈液生成装置を提供するものである。
【課題を解決するための手段】
【００１５】
そこで、本発明の請求項１記載のミネラルウォータ自動販売装置における塩素希釈液生成装置では、公営の水道水Ｗに含まれている塩素や有機物を除去する浄水器１５と、この浄水器１５からの水をミネラル水Ｍとして生成するミネラル水生成手段１７と、このミネラル水生成手段１７からのミネラル水Ｍを出水させる注水口６と、この注水口６へのミネラル水Ｍの出水、止水を行なう弁体２０と、この弁体２０を開閉制御して所定量のミネラル水Ｍを前記注水口６より出水制御する制御手段６０と、前記ミネラル水生成手段１７からの生成水を取り入れて該生成水と内蔵してある塩素原液を注入して塩素希釈液を生成すると共に、前記注水口６からミネラル水Ｍを出水する際に前記塩素希釈液を該ミネラル水Ｍに注入する塩素希釈液生成装置３０とを備えているミネラルウォータ自動販売装置であって、
前記塩素希釈液生成装置３０には、塩素原液を貯留しておく柔軟性で袋状の塩素原液袋３１と、この塩素原液袋３１を配置しているケース４６と、前記塩素原液袋３１の上に載置されて前記ケース４６に開閉自在に設けられているフタ体５３と、前記ケース４６に配設されて塩素原液袋３１内の塩素原液の減少ないし無くなった際に前記フタ体５３にて駆動される原液検知用センサー５０とを備えていることを特徴としている。
【００１６】
請求項２に記載のミネラルウォータ自動販売装置における塩素希釈液生成装置では、公営の水道水Ｗに含まれている塩素や有機物を除去する浄水器１５と、この浄水器１５からの水をミネラル水Ｍとして生成するミネラル水生成手段１７と、このミネラル水生成手段１７からのミネラル水Ｍを出水させる注水口６と、この注水口６へのミネラル水Ｍの出水、止水を行なう弁体２０と、この弁体２０を開閉制御して所定量のミネラル水Ｍを前記注水口６より出水制御する制御手段６０と、前記ミネラル水生成手段１７からの生成水を取り入れて該生成水と内蔵してある塩素原液を注入して塩素希釈液を生成すると共に、前記注水口６からミネラル水Ｍを出水する際に前記塩素希釈液を該ミネラル水Ｍに注入する塩素希釈液生成装置３０とを備えているミネラルウォータ自動販売装置であって、
前記塩素希釈液生成装置３０には、塩素原液を貯留している塩素原液袋３１を配置しているケース４６と、前記ケース４６が上面に載置され前記塩素原液袋３１内の塩素原液と生成水とで生成した塩素希釈液を貯留しておく柔軟性で袋状の塩素希釈液袋３８と、この塩素希釈液袋３８内の塩素希釈液が一定量減少した際に前記ケース４６にて駆動される希釈液検知センサー４７とを備えていることを特徴としている。
【発明の効果】
【００１７】
本発明のミネラルウォータ自動販売装置における塩素希釈液生成装置によれば、塩素原液袋３１内の塩素原液が減少ないし無くなった場合には、塩素原液袋３１の膨らみが少なくなり、それに応じてフタ体５３が閉じることで、該フタ体５３により原液検知用センサー５０を駆動でき、塩素原液袋３１内の塩素原液が減少ないし無くなったことを知ることができる。
また、塩素希釈液袋３８内に塩素希釈液が一定量減少した場合には、塩素希釈液袋３８の膨らみが少なくなり、それに応じて塩素希釈液袋３８の上に載っているケース４６が下降し、このケース４６の下降により希釈液検知センサー４７を駆動でき、塩素希釈液袋３８内の塩素希釈液が減少したことを知ることができる。
【００１８】
このようにして、塩素原液の減少ないし無くなったこと、また、塩素希釈液が一定量減少した場合の検知を柔軟性で袋状とした塩素原液袋３１、塩素希釈液袋３８を利用しているので、安価な構成で液量を検知することができる。また、塩素原液袋３１及び塩素希釈液袋３８を袋状にしているので、塩素液に直接空気と接触することを極力抑えることを可能としている。
【発明を実施するための最良の形態】
【００１９】
以下、本発明の実施の形態を図面を参照して詳細に説明する。図１は本発明に係るミネラルウォータ自動販売装置１の正面図を示している。このミネラルウォータ自動販売装置１の前面には、利用者が持参した容器２内にミネラル水の出水が行なわれる凹室状の出水・取り出し部３がそれぞれ設けられている。
【００２０】
この出水・取り出し部３の前面の開放面には透明な扉４が開閉自在に設けられており、また、出水・取り出し部３の天井面には容器２の内部にミネラル水を出水するための注水口６が設けられている。なお、注水口６に容器２をセットするための保持具（図示せず）が設けられていて、この保持具に容器２が着脱自在に装着されるようになっている。
また、この実施形態では、持参した容器２の内部を洗浄する洗浄口を設けていないが、上記注水口６の側方に容器２洗浄用の洗浄口を別途設けるようにしても良い。
【００２１】
出水・取り出し部３の上方の前面にはミネラル水の出水の操作を文章や絵で表示したガイド部７が設けてあり、また、このガイド部７の側方には、ミネラル水を出水するためのカード挿入口１０が設けられている。このカード挿入口１０に所定のカードを挿入することで、扉４を開けることができ、ガイド部７に設けてある操作ボタン９を押操作して、任意の量、例えば２リットルのミネラル水を得ることができる。なお、図示はしていないが、カードだけでなく、コイン（お金）を投入してミネラル水を得ることができるようになっている。
【００２２】
図２は公営水道の水道水Ｗを生成したミネラル水Ｍを出水する注水口６までのフローを示すブロック図であり、公営水道に配管が直結され、この配管の途中に減圧弁、積算流量計、水道圧力計等が介設されており、該配管は浄水器１５に接続されている。
水道水Ｗが入水される浄水器１５は、粒状の活性炭と布フィルタとで構成されていて、水道水Ｗに含まれている塩素、有機物、トリハロメタンなどの不純物を取り除くようになっている。
【００２３】
この浄水器１５で水道水Ｗを生成した生成水に炭酸ガスボンベ１６から炭酸ガスが図外の電磁弁を介して注入され、この炭酸ガスにより浄水器１５より後段の活水器１７内でミネラル成分を一時硬水してミネラル成分の溶出を促進させている。
この活水器１７は、粒状麦飯石と珊瑚砂などで構成されており、浄水器１５からの炭酸ガスが混入された生成水を麦飯石や珊瑚砂に接触させて、ミネラル成分（炭酸カルシウムなど）を溶出させる。
【００２４】
この活水器１７で生成した生成水（ミネラル水）は除菌器１８に送られ、この除菌器１８は、穴径が０．４５μｍのマイクロフィルタ及び銀添着された粉末活性炭で構成されていて、活水器１７で生成した生成水から落下菌などを取り除くものであり、除菌効果を持たせている。
【００２５】
除菌器１８の出力側には流量センサー１９が設けられており、この流量センサー１９を介して注水用電磁弁２０が設けられている。この注水用電磁弁２０が開制御されて注水口６からミネラル水Ｍが容器２へ出水される。
また、上記流量センサー１９の出力側から塩素希釈液生成装置３０へ生成水（ミネラル水）を電磁弁２１を介して希釈化用水として取り入れるようになっている。この塩素希釈液生成装置３０の構成について後述するが、塩素希釈液生成装置３０は、塩素原液と、上記希釈化用水にて更に希釈化した塩素濃度の塩素を生成している。この塩素希釈液生成装置３０からの希釈塩素が注水口６からミネラル水Ｍが出水される際に該ミネラル水Ｍに注入されるようになっている。
【００２６】
次に、塩素希釈液生成装置３０の構成について説明する。図３に示すように、この塩素希釈液生成装置３０は、基本的には、塩素原液を入れているポリ塩化ビニール製の柔軟で袋状の塩素原液袋３１と、この塩素原液袋３１内の塩素原液を汲み上げる原液送給用ポンプ３２と、この原液送給用ポンプ３２の出力側に介設されている原液送給用電磁弁３３と、生成水に塩素原液を注入して塩素希釈液を生成、貯留させておき、上記塩素原液袋３１と同様にポリ塩化ビニール製の柔軟で袋状の塩素希釈液袋３８と、この塩素希釈液袋３８からの塩素希釈液を汲み上げる希釈塩素注入用ポンプ３９と、この希釈塩素注入用ポンプ３９の出力側に設けられている希釈塩素注入用電磁弁４０等で構成されている。
【００２７】
ここで、本発明では上記除菌器１８、流量センサー１９及び電磁弁２１を介して送給されてくる生成水に、塩素原液袋３１からの塩素原液を注入する際に、従来とは異なり塩素希釈液袋３８内に個別に塩素原液と生成水を送給するのではなく、塩素希釈液袋３８内に送給する前に生成水と塩素原液とを混合するようにしている。
具体的には、原液送給用電磁弁３３の出力側に設けられているチューブ３４と、生成水を送るチューブ３７とを略Ｙ字型とした混合用具３５の二股状の入力側に接続し、この混合用具３５の出力側に塩素希釈液袋３８と接続するチューブ３６を接続している。そして、この混合用具３５の位置は、チューブ３４の寸法を出来得る限り短くして原液送給用電磁弁３３の出力側に近く設けている。
【００２８】
図３において、注水用電磁弁２０が開制御されて注水口６からミネラル水Ｍが出水される際に、希釈塩素注入用電磁弁４０が開制御され、希釈塩素注入用ポンプ３９が駆動されることで、一定量の希釈塩素が塩素希釈液袋３８から注入される。これにより、容器２内に出水されたミネラル水Ｍは所定の塩素濃度に維持されて雑菌の繁殖を防止している。
【００２９】
図４及び図５は塩素希釈液生成装置３０の構造を示す図であり、装置内に固定された上面開口の下ケース４５内に塩素希釈液袋３８が着脱自在に配設されている。この下ケース４５に納装した塩素希釈液袋３８の上に塩素原液袋３１を配設した上ケース４６が載置されている。
この上ケース４６の大きさは、下ケース４５より小さく形成されており、下ケース４５内に上ケース４６が入ることが可能となっている。また、上ケース４６は塩素希釈液袋３８の塩素希釈液が少なくなるに従い、塩素原液袋３１及び上ケース４６の自重により下降するようになっており、上ケース４６は塩素希釈液袋３８の上に単に載っている状態としてある。
【００３０】
また、下ケース４５の側面にはリミットスイッチからなる希釈液検知用センサー４７が設けられていて、この希釈液検知用センサー４７のアクチュエータ４８を駆動する断面を略Ｌ型とした駆動片４９が上ケース４６の側面に配設されている。
また、上ケース４６の側面にはリミットスイッチからなる原液検知用センサー５０が設けられており、この原液検知用センサー５０のアクチュエータ５１を駆動する断面を略Ｚ字型とした駆動片５２がフタ体５３の端部に設けられている。この平板状のフタ体５３は、上ケース４６の内側の側面に蝶番５４を介して開閉自在に設けられている。
【００３１】
フタ体５３は塩素原液袋３１の上に常時載った状態となっていて、塩素原液袋３１内に塩素原液が一杯入っている状態では、図４に示すように、その塩素原液袋３１の膨らみに応じてフタ体５３は大きく開いた状態となっている。塩素原液袋３１内の塩素原液が徐々に塩素希釈液袋３８に注入されて少なくなるに従い、塩素原液袋３１の膨らみは少なくなり、それに応じてフタ体５３の開き角度が小さくなり、徐々にフタ体５３は閉じていく。
塩素原液袋３１内の塩素原液が無くなって、フタ体５３が閉じるとフタ体５３に設けた駆動片５２がアクチュエータ５１を押すことで、原液検知用センサー５０がオンするようになっている。なお、塩素原液が無くなった場合だけでなく、塩素原液が一定量以下になった場合にも原液検知用センサー５０がオンするように該原液検知用センサー５０を上方に配置するようにしても良い。
【００３２】
また、塩素希釈液袋３８内に塩素希釈液が一杯入っている状態でも同様に塩素希釈液袋３８は膨らみ、その膨らみに応じて上ケース４６は図４に示すように下ケース４５に対して高い位置に位置している。塩素希釈液袋３８から塩素希釈液をミネラル水Ｍに注入していくに従い、塩素希釈液袋３８の膨らみも小さくなり、それに従い上ケース４６は自重により下降してくる。
塩素希釈液袋３８内の塩素希釈液が、ある一定量まで減少した場合に、下降してきた上ケース４６に設けてある駆動片４９は希釈液検知用センサー４７のアクチュエータ５１を押すことで、希釈液検知用センサー４７はオンするようになっている。
【００３３】
図６はミネラルウォータ自動販売装置１の全体のブロック図を示し、ミネラルウォータ自動販売装置１の全体を制御する制御部６０は、マイクロコンピュータで構成されており、上述した流量センサー１９、操作ボタン９、カード挿入口１０にカードを挿入した際に、それを検知するカードセンサー１３、希釈液検知用センサー４７、原液検知用センサー５０などからの信号が入力されている。
また、上記電磁弁２１、原液送給用ポンプ３２、原液送給用電磁弁３３、希釈塩素注入用ポンプ３９、希釈塩素注入用電磁弁４０、注水用電磁弁２０を制御している。また、原液検知用センサー５０からの信号が入力された際に、塩素原液袋３１内に塩素原液が無くなった旨を知らせるために制御部６０により報知ランプ１４を点灯ないし点滅させるようにしている。なお、この報知ランプ１４は、図１に示すように、ガイド部７に設けて管理者に報知し易くしている。
【００３４】
次に、生成水と塩素原液を混合して塩素希釈液袋３８内で塩素希釈液を生成する場合について説明する。図７に示すように、原液送給用電磁弁３３からの塩素原液を送給するチューブ３４と、生成水を送給するチューブ３７とが混合用具３５の２つの入力側に接続され、混合用具３５の出力側はチューブ３６が接続されて、このチューブ３６は塩素希釈液袋３８に接続されている。
制御部６０により原液送給用ポンプ３２と原液送給用電磁弁３３とが駆動され、原液送給用ポンプ３２が必要な塩素原液の量（例えば、０．６６ｃｃ）を送給するまで応動し、同時に原液送給用電磁弁３３は開いた状態となり、塩素原液は塩素原液袋３１から原液送給用ポンプ３２及び原液送給用電磁弁３３を介してチューブ３４内に送給される。
【００３５】
同時に制御部６０は電磁弁２１を開制御して、生成水はチューブ３７内に一定の量（例えば、２００ｃｃ）が送給される。混合用具３５内では、生成水と塩素原液とが混合・撹拌されて、チューブ３６を介して一気に塩素希釈液袋３８内に注入される。このようにして、混合用具３５内で塩素原液は生成水に攪拌されながら混合して塩素希釈液袋３８内に送給されるので、塩素希釈液袋３８内では攪拌が確実に行なわれ、且つ原液送給用電磁弁３３により塩素原液袋３１からの塩素原液が遮断されるので、塩素希釈液袋３８内の塩素希釈液の中で塩素濃度が異なるようなことが無くなる。すなわち、塩素希釈液袋３８内の塩素希釈液の塩素濃度は全体にわたってほぼ一定となり、従来のように場合によっては塩素濃度の濃い希釈塩素がミネラル水Ｍに注入されるということはない。これにより、塩素希釈液袋３８内の塩素希釈液は一定となり、ミネラル水Ｍに注入する塩素希釈液の塩素濃度を一定にすることができる。
なお、塩素原液袋３１内の塩素原液の塩素濃度を２４０００ｐｐｍとし、生成水を２００ｃｃに対して０．６６ｃｃを注入して、塩素希釈液袋３８内の塩素希釈液の塩素濃度を１／３００の８０ｐｐｍに希釈化している。
【００３６】
ここで、塩素希釈液生成装置３０を組み立てた場合、原液送給用電磁弁３３、塩素希釈液袋３８の配置関係から、原液送給用電磁弁３３と塩素希釈液袋３８との距離、つまり、チューブ３４、混合用具３５、及びチューブ３６の長さ寸法は約１０ｃｍであり、そのうち塩素原液がどうしても残留してしまうチューブ３４の長さは約１ｃｍである。
塩素原液袋３１から塩素原液は原液送給用電磁弁３３で完全に遮断されているが、原液送給用電磁弁３３の出力側から混合用具３５の入力側までのチューブ３４内には塩素原液が残留している。
【００３７】
しかしながら、混合用具３５に一定量の生成水が送給された後に電磁弁２１は閉制御されて、チューブ３７、混合用具３５及びチューブ３６内の生成水は塩素希釈液袋３８内に注入されるか、あるいは生成水が残留している。塩素希釈液袋３８内の塩素希釈液が減少していって、内部が負圧になっても、塩素希釈液袋３８内に送給されるのは、チューブ３６内の塩素原液が注入された生成水であり、塩素原液が塩素希釈液袋３８内に直接注入されることはない。
また、混合用具３５やチューブ３６内に生成水がなくて空気が入っている場合では、塩素原液が残留しているチューブ３４と塩素希釈液袋３８までは距離（約９ｃｍ）があるので、塩素原液自体が塩素希釈液袋３８に注入されることはない。
【００３８】
このように、チューブ３４内の残留塩素が時間の経過と共に塩素希釈液袋３８内に入り、塩素希釈液袋３８内の希釈塩素の希釈濃度が変化するということはない。また、混合用具３５内で塩素原液と生成水とが混合した混合水が塩素希釈液袋３８内に入っても、混合用具３５内では塩素希釈液袋３８内と同程度の希釈塩素となっているので、問題は生じない。
【００３９】
次に、塩素希釈液袋３８に混合用具３５で混合した混合水を注入する時について説明する。図８に示すように、塩素希釈液袋３８内の塩素希釈液が時間経過と共に減少して、満杯の例えば３００ｃｃから１００ｃｃに減少すると、塩素希釈液袋３８は徐々に膨らみが薄くなり、それに応じて上述したように、上ケース４６が下降してくる。
【００４０】
上ケース４６が下降して駆動片４９が希釈液検知用センサー４７のアクチュエータ４８を駆動すると、この希釈液検知用センサー４７からの信号が制御部６０に入力され、上記の電磁弁２１、原液送給用ポンプ３２及び原液送給用電磁弁３３を制御して塩素希釈液を生成する。電磁弁２１を介して送給される生成水は、約２００ｃｃであり、この流量は流量センサー１９で計測され、２００ｃｃを計測したらその信号が制御部６０に入力され、制御部６０は電磁弁２１を閉制御して生成水の送給を停止する。
また、原液送給用ポンプ３２により必要な量だけ塩素原液袋３１から塩素原液を送給した後は、原液送給用電磁弁３３を閉制御して、塩素原液の送給を停止する。
【００４１】
図９は塩素原液袋３１内の塩素原液が無くなった場合を示し、塩素原液が無くなると塩素原液袋３１の膨らみが無くなり、フタ体５３が閉じる。フタ体５３が閉じると、フタ体５３に設けた駆動片５２が原液検知用センサー５０のアクチュエータ５１を駆動し、原液検知用センサー５０からの信号が制御部６０へ送られる。
制御部６０では、原液検知用センサー５０からの信号により報知ランプ１４を点灯ないし点滅させてミネラルウォータ自動販売装置１の管理者に塩素原液袋３１の交換を報知させる。なお、塩素原液袋３１内に塩素原液が無くなっても、塩素希釈液袋３８内には、まだ、塩素希釈液が残っているので、ミネラル水Ｍの販売には支障はない。
【００４２】
このように、塩素原液袋３１及び塩素希釈液袋３８を柔軟な袋状で構成し、内容量の減少に応じて膨らみが薄くなるのを利用して、塩素原液や塩素希釈液が無くなったり、減少したのを検知するようにしているので、液量を検知する構成を簡素化できると共に、安価に構成することができる。
また、塩素原液袋３１及び塩素希釈液袋３８を柔軟な袋状で構成しているので、塩素原液や塩素希釈液に直接空気と接触することを極力抑えることが可能となる。
【００４３】
図１０は、原液送給用電磁弁３３と混合用具３５との間のチューブ３４を無くして混合用具３５に入力と原液送給用電磁弁３３の出力とを直結した場合の接続例を示すものである。この例では原液送給用電磁弁３３の出力側に混合用具３５を一体に形成したものであり、塩素原液が送給される原液送給用電磁弁３３の出口でチューブ３７からの生成水が送給され、混合用具３５内で完全に塩素原液が生成水に攪拌されて、塩素希釈液袋３８内での塩素希釈液の塩素濃度は所定の濃度に完全に維持されることになる。
また、原液送給用電磁弁３３が遮断されることで、塩素原液は原液送給用電磁弁３３の出力には塩素原液が漏れ出すということはない。したがって、塩素希釈液袋３８内は全体にわたって同じ塩素濃度とすることができる。すなわち、原液送給用電磁弁３３と混合用具３５とを一体に構成していることで、塩素原液は原液送給用電磁弁３３にて完全に遮断されるとともに、原液送給用電磁弁３３の出力側には塩素原液はほとんど残らず、そのため、塩素原液が塩素希釈液袋３８内に送給されることはなく、塩素希釈液袋３８内での塩素希釈液の塩素濃度を一定に維持することができる。
【００４４】
図１１は上記の原液送給用電磁弁３３の代わりに逆止弁６２を用いた場合を示し、通流室６３の前後の隔壁６４、６５に通流孔６６、６７が穿孔され、一方の通流孔６６の内側に該通流孔６６より大きなボール６８を配設している。また、他方の隔壁６５の内側面とボール６８との間にスプリング６９を介装し、このスプリング６９の弾発力によりボール６８を隔壁６４に付勢して、該ボール６８で通流孔６６を閉塞している。
原液送給用ポンプ３２により塩素原液が送給されると、その圧力にてボール６８が押されて通流孔６６から離れて塩素原液が通流孔６６を介して送給される。原液送給用ポンプ３２が停止すると、スプリング６９の復帰力にてボール６８が通流孔６６を閉じ、塩素原液は完全に遮断されることになる。
【００４５】
次に、ミネラルウォータ自動販売装置１において、ミネラル水Ｍが注水される制御動作について説明する。図２に示すように、ミネラルウォータ自動販売装置１は公営水道に直結されており、その水道圧により浄水器１５、活水器１７、除菌器１８へ生成水が送られる。なお、送給の経路の途中に注水口６へ生成水（ミネラル水Ｍ）を送給するための加圧ポンプを介設するようにしても良い。
浄水器１５で水道水Ｗに含まれている塩素、有機物、トリハロメタンなどが取り除かれた後、浄水器１５を出た生成水は炭酸ガスボンベ１６からの炭酸ガスが注入され活水器１７に送給され、この活水器１７において生成水が粒状麦飯石などの鉱石と接触してミネラル成分などを溶出し、同時に炭酸ガスによりミネラル成分の溶出が促進されてミネラル水Ｍが生成される。
【００４６】
活水器１７からは除菌器１８、流量センサー１９及び注水用電磁弁２０を介して注水口６まで送給されるようになっており、また、注水口６には塩素希釈液生成装置３０にて８０ｐｐｍの塩素濃度に生成・調整された希釈塩素が微量（１リットルに１ｃｃ）ミネラル水Ｍに注入される。
【００４７】
先ず、利用者がミネラルウォータ自動販売装置１のカード挿入口１０にカードを挿入すると（またはコインを入れると）、図６に示すカードセンサー１３がこれを検知し、この検知信号が制御部６０に送られる。カードセンサー１３からの検知信号を受けると制御部６０は、扉４のロックを解除する。
次に、利用者は扉４を開けて容器２を注水口６の下方にセットして扉４を閉めて操作ボタン９を押操作する。操作ボタン９が押操作されると、所望の水量表示のボタンが点灯し、そのボタンを押すと、制御部６０が注水用電磁弁２０を開制御してミネラル水Ｍが注水口６を介して容器２に注入される。この時の容器２への注入量は、例えば２リットルとしている。
【００４８】
また、注水口６へのミネラル水Ｍの出水の際には、塩素希釈液生成装置３０から注水口６に塩素濃度が８０ｐｐｍとした塩素が微量注入される。結果として容器２内に出水されたミネラル水Ｍの塩素濃度は、０．０８ｐｐｍとなるようにして、利用者が自宅に持ち帰って、しばらく、例えば１週間程度置いていても、容器２内のミネラル水Ｍに雑菌が繁殖しないようにしている。
また、たとえ、容器２内に雑菌が繁殖したとしても、その量は法律で規定されている数値以下となるようにしている。
【００４９】
この２リットルの量は流量センサー１９で計測しており、２リットルが計測されると、流量センサー１９から信号が制御部６０に送られ、制御部６０は注水用電磁弁２０を閉制御する。
容器２に２リットルのミネラル水Ｍが出水されると、利用者は扉４を開けて容器２を取り出す。
【図面の簡単な説明】
【００５０】
【図１】本発明の実施の形態におけるミネラルウォータ自動販売装置の正面図である。
【図２】本発明の実施の形態における公営水道水からミネラル水を生成、出水するまでのフローを示した図である。
【図３】本発明の実施の形態における塩素希釈液生成装置の構成図である。
【図４】本発明の実施の形態における塩素希釈液生成装置の機構的な構造を示す図である。
【図５】本発明の実施の形態における塩素希釈液生成装置の機構的な構造を示す側面から見た図である。
【図６】本発明の実施の形態におけるミネラルウォータ自動販売装置の全体のブロック図である。
【図７】本発明の実施の形態における塩素希釈液生成装置の説明図である。
【図８】本発明の実施の形態における塩素希釈液生成装置の塩素希釈液袋内の塩素希釈液が少なくなった場合の検知を示す図である。
【図９】本発明の実施の形態における塩素希釈液生成装置の塩素原液袋内の塩素原液が無くなった場合の検知を示す図である。
【図１０】本発明の実施の形態における塩素希釈液生成装置の混合用具の他の接続例を示す図である。
【図１１】本発明の実施の形態における塩素希釈液生成装置に用いている原液送給用電磁弁の変わりに用いた逆止弁の断面図である。
【図１２】従来例のミネラルウォータ自動販売装置の塩素希釈液を生成する場合の構成図である。
【符号の説明】
【００５１】
１  ミネラルウォータ自動販売装置
６  注水口
１５  浄水器
１７  活水器
３０  塩素希釈液生成装置
３１  塩素原液袋
３８  塩素希釈液袋
４６  上ケース
４７  希釈液検知センサー
５０  原液検知用センサー
５３  フタ体
Ｗ  水道水
Ｍ  ミネラル水
【図１】
2005103532.tif 000003
【図２】
2005103532.tif 000004
【図３】
2005103532.tif 000005
【図４】
2005103532.tif 000006
【図５】
2005103532.tif 000007
【図６】
2005103532.tif 000008
【図７】
2005103532.tif 000009
【図８】
2005103532.tif 000010
【図９】
2005103532.tif 000011
【図１０】
2005103532.tif 000012
【図１１】
2005103532.tif 000013
【図１２】
2005103532.tif 000014
【手続補正書】
【提出日】平成16年3月24日(2004.3.24)
【手続補正１】
【補正対象書類名】明細書
【補正対象項目名】全文
【補正方法】変更
【補正の内容】
【発明の詳細な説明】
【技術分野】
【０００１】
本発明は、直結された公営水道の水道水から内部でミネラル水を生成し、該ミネラル水の販売を行なう場合に、販売後のミネラル水の雑菌の繁殖を防止するために、容器へのミネラル水の注水時に希釈塩素を注入するようにしたミネラルウォータ自動販売装置に関するものであり、より詳しくは希釈塩素を生成するためのミネラルウォータ自動販売装置における塩素希釈液生成装置に関するものである。
【背景技術】
【０００２】
入力側が公営水道に直結され、この直結された公営水道の水道水から内部でミネラル水を生成し、該ミネラル水の販売を行なうこの種の公営水道オンライン式のミネラルウォータ自動販売装置として、例えば、特許文献１に示すものがある。
【０００３】
【特許文献１】特開平１０−４０４５９号公報（特許第２９３５３４７号）
【特許文献２】特開平８−２０６６６６号公報（特許第２７０９７００号）
【０００４】
この特許文献１は、本出願人の発明に係るものであり、麦飯石などの鉱石を粉末砂状にしたものをミネラル溶出素材とし、粉末砂状の麦飯石などの鉱石と公営水道の水道水とを接触させてミネラル水を生成している。そして、この生成したミネラル水を吐出する際に別途に設けた塩素滴下装置から希釈した塩素をミネラル水に注入し、利用者が容器に入れたミネラル水を持ち帰った後も、雑菌の繁殖を防止するようにしている。
【０００５】
このようにして、特許文献１においては、所定量のミネラル水を計り売りをして、消費者に雑菌の繁殖を防止した安全で低コストなミネラル水を供給ないし販売を行ない、消費者に重宝がられている。
【０００６】
また、上記特許文献２も本出願人の発明に係るものであり、この特許文献２において塩素原液を入れたタンクを内蔵し、このタンクからの塩素原液を内部で生成した生成水（ミネラル水）に混入して塩素希釈液を生成し、この生成した希釈塩素をミネラル水を容器に注水する際に注入するようにしている。
【０００７】
図１２は特許文献２における塩素原液から塩素希釈液を生成する塩素希釈液生成装置８１の構成図を示し、塩素原液を入れるタンクとしての塩素原液袋８２内には塩素原液が入れてあり、この塩素原液袋８２から塩素原液が電磁弁８３及びチューブ８４を介して塩素希釈液袋８５内に注入されるようになっている。
一方、この塩素希釈液袋８５内に生成した所定量の生成水（ミネラル水）がチューブ８６を介して注入される際に、上記チューブ８４を介して塩素原液が注入されることで、塩素希釈液袋８５内では塩素希釈液が生成される。
【０００８】
塩素希釈液袋８５内では一定の塩素濃度に調整された希釈塩素が上述したようにミネラル水の販売時（注水時）に該ミネラル水に注入されることで、注水した容器内のミネラル水は一定の塩素濃度に調整され、販売後の雑菌の繁殖を防止し、安全でおいしいミネラル水を提供している。
【０００９】
しかしながら、かかる従来例では、塩素原液や塩素希釈液が減少ないし無くなった場合の液量の検知を安価な構成で行なうことができないという問題があった。
【発明の開示】
【発明が解決しようとする課題】
【００１０】
本発明は上述の問題点に鑑みて提供したものであって、塩素原液や塩素希釈液が減少ないし無くなった場合の液量の検知を安価な構成で行なうことを目的としたミネラルウォータ自動販売装置における塩素希釈液生成装置を提供するものである。
【課題を解決するための手段】
【００１１】
そこで、本発明の請求項１記載のミネラルウォータ自動販売装置における塩素希釈液生成装置では、公営の水道水Ｗに含まれている塩素や有機物を除去する浄水器１５と、この浄水器１５からの水をミネラル水Ｍとして生成するミネラル水生成手段１７と、このミネラル水生成手段１７からのミネラル水Ｍを出水させる注水口６と、この注水口６へのミネラル水Ｍの出水、止水を行なう弁体２０と、この弁体２０を開閉制御して所定量のミネラル水Ｍを前記注水口６より出水制御する制御手段６０と、前記ミネラル水生成手段１７からの生成水を取り入れて該生成水と内蔵してある塩素原液を注入して塩素希釈液を生成すると共に、前記注水口６からミネラル水Ｍを出水する際に前記塩素希釈液を該ミネラル水Ｍに注入する塩素希釈液生成装置３０とを備えているミネラルウォータ自動販売装置であって、
前記塩素希釈液生成装置３０には、塩素原液を貯留しておく柔軟性で袋状の塩素原液袋３１と、この塩素原液袋３１を配置しているケース４６と、前記塩素原液袋３１の上に載置されて前記ケース４６に開閉自在に設けられているフタ体５３と、前記ケース４６に配設されて塩素原液袋３１内の塩素原液の減少ないし無くなった際に前記フタ体５３にて駆動される原液検知用センサー５０とを備えていることを特徴としている。
【００１２】
請求項２に記載のミネラルウォータ自動販売装置における塩素希釈液生成装置では、公営の水道水Ｗに含まれている塩素や有機物を除去する浄水器１５と、この浄水器１５からの水をミネラル水Ｍとして生成するミネラル水生成手段１７と、このミネラル水生成手段１７からのミネラル水Ｍを出水させる注水口６と、この注水口６へのミネラル水Ｍの出水、止水を行なう弁体２０と、この弁体２０を開閉制御して所定量のミネラル水Ｍを前記注水口６より出水制御する制御手段６０と、前記ミネラル水生成手段１７からの生成水を取り入れて該生成水と内蔵してある塩素原液を注入して塩素希釈液を生成すると共に、前記注水口６からミネラル水Ｍを出水する際に前記塩素希釈液を該ミネラル水Ｍに注入する塩素希釈液生成装置３０とを備えているミネラルウォータ自動販売装置であって、
前記塩素希釈液生成装置３０には、塩素原液を貯留している塩素原液袋３１を配置しているケース４６と、前記ケース４６が上面に載置され前記塩素原液袋３１内の塩素原液と生成水とで生成した塩素希釈液を貯留しておく柔軟性で袋状の塩素希釈液袋３８と、この塩素希釈液袋３８内の塩素希釈液が一定量減少した際に前記ケース４６にて駆動される希釈液検知センサー４７とを備えていることを特徴としている。
【発明の効果】
【００１３】
本発明のミネラルウォータ自動販売装置における塩素希釈液生成装置によれば、塩素原液袋３１内の塩素原液が減少ないし無くなった場合には、塩素原液袋３１の膨らみが少なくなり、それに応じてフタ体５３が閉じることで、該フタ体５３により原液検知用センサー５０を駆動でき、塩素原液袋３１内の塩素原液が減少ないし無くなったことを知ることができる。
また、塩素希釈液袋３８内に塩素希釈液が一定量減少した場合には、塩素希釈液袋３８の膨らみが少なくなり、それに応じて塩素希釈液袋３８の上に載っているケース４６が下降し、このケース４６の下降により希釈液検知センサー４７を駆動でき、塩素希釈液袋３８内の塩素希釈液が減少したことを知ることができる。
【００１４】
このようにして、塩素原液の減少ないし無くなったこと、また、塩素希釈液が一定量減少した場合の検知を柔軟性で袋状とした塩素原液袋３１、塩素希釈液袋３８を利用しているので、安価な構成で液量を検知することができる。また、塩素原液袋３１及び塩素希釈液袋３８を袋状にしているので、塩素液に直接空気と接触することを極力抑えることを可能としている。
【発明を実施するための最良の形態】
【００１５】
以下、本発明の実施の形態を図面を参照して詳細に説明する。図１は本発明に係るミネラルウォータ自動販売装置１の正面図を示している。このミネラルウォータ自動販売装置１の前面には、利用者が持参した容器２内にミネラル水の出水が行なわれる凹室状の出水・取り出し部３がそれぞれ設けられている。
【００１６】
この出水・取り出し部３の前面の開放面には透明な扉４が開閉自在に設けられており、また、出水・取り出し部３の天井面には容器２の内部にミネラル水を出水するための注水口６が設けられている。なお、注水口６に容器２をセットするための保持具（図示せず）が設けられていて、この保持具に容器２が着脱自在に装着されるようになっている。
また、この実施形態では、持参した容器２の内部を洗浄する洗浄口を設けていないが、上記注水口６の側方に容器２洗浄用の洗浄口を別途設けるようにしても良い。
【００１７】
出水・取り出し部３の上方の前面にはミネラル水の出水の操作を文章や絵で表示したガイド部７が設けてあり、また、このガイド部７の側方には、ミネラル水を出水するためのカード挿入口１０が設けられている。このカード挿入口１０に所定のカードを挿入することで、扉４を開けることができ、ガイド部７に設けてある操作ボタン９を押操作して、任意の量、例えば２リットルのミネラル水を得ることができる。なお、図示はしていないが、カードだけでなく、コイン（お金）を投入してミネラル水を得ることができるようになっている。
【００１８】
図２は公営水道の水道水Ｗを生成したミネラル水Ｍを出水する注水口６までのフローを示すブロック図であり、公営水道に配管が直結され、この配管の途中に減圧弁、積算流量計、水道圧力計等が介設されており、該配管は浄水器１５に接続されている。
水道水Ｗが入水される浄水器１５は、粒状の活性炭と布フィルタとで構成されていて、水道水Ｗに含まれている塩素、有機物、トリハロメタンなどの不純物を取り除くようになっている。
【００１９】
この浄水器１５で水道水Ｗを生成した生成水に炭酸ガスボンベ１６から炭酸ガスが図外の電磁弁を介して注入され、この炭酸ガスにより浄水器１５より後段の活水器１７内でミネラル成分を一時硬水してミネラル成分の溶出を促進させている。
この活水器１７は、粒状麦飯石と珊瑚砂などで構成されており、浄水器１５からの炭酸ガスが混入された生成水を麦飯石や珊瑚砂に接触させて、ミネラル成分（炭酸カルシウムなど）を溶出させる。
【００２０】
この活水器１７で生成した生成水（ミネラル水）は除菌器１８に送られ、この除菌器１８は、穴径が０．４５μｍのマイクロフィルタ及び銀添着された粉末活性炭で構成されていて、活水器１７で生成した生成水から落下菌などを取り除くものであり、除菌効果を持たせている。
【００２１】
除菌器１８の出力側には流量センサー１９が設けられており、この流量センサー１９を介して注水用電磁弁２０が設けられている。この注水用電磁弁２０が開制御されて注水口６からミネラル水Ｍが容器２へ出水される。
また、上記流量センサー１９の出力側から塩素希釈液生成装置３０へ生成水（ミネラル水）を電磁弁２１を介して希釈化用水として取り入れるようになっている。この塩素希釈液生成装置３０の構成について後述するが、塩素希釈液生成装置３０は、塩素原液と、上記希釈化用水にて更に希釈化した塩素濃度の塩素を生成している。この塩素希釈液生成装置３０からの希釈塩素が注水口６からミネラル水Ｍが出水される際に該ミネラル水Ｍに注入されるようになっている。
【００２２】
次に、塩素希釈液生成装置３０の構成について説明する。図３に示すように、この塩素希釈液生成装置３０は、基本的には、塩素原液を入れているポリ塩化ビニール製の柔軟で袋状の塩素原液袋３１と、この塩素原液袋３１内の塩素原液を汲み上げる原液送給用ポンプ３２と、この原液送給用ポンプ３２の出力側に介設されている原液送給用電磁弁３３と、生成水に塩素原液を注入して塩素希釈液を生成、貯留させておき、上記塩素原液袋３１と同様にポリ塩化ビニール製の柔軟で袋状の塩素希釈液袋３８と、この塩素希釈液袋３８からの塩素希釈液を汲み上げる希釈塩素注入用ポンプ３９と、この希釈塩素注入用ポンプ３９の出力側に設けられている希釈塩素注入用電磁弁４０等で構成されている。
【００２３】
ここで、本発明では上記除菌器１８、流量センサー１９及び電磁弁２１を介して送給されてくる生成水に、塩素原液袋３１からの塩素原液を注入する際に、従来とは異なり塩素希釈液袋３８内に個別に塩素原液と生成水を送給するのではなく、塩素希釈液袋３８内に送給する前に生成水と塩素原液とを混合するようにしている。
具体的には、原液送給用電磁弁３３の出力側に設けられているチューブ３４と、生成水を送るチューブ３７とを略Ｙ字型とした混合用具３５の二股状の入力側に接続し、この混合用具３５の出力側に塩素希釈液袋３８と接続するチューブ３６を接続している。そして、この混合用具３５の位置は、チューブ３４の寸法を出来得る限り短くして原液送給用電磁弁３３の出力側に近く設けている。
【００２４】
図３において、注水用電磁弁２０が開制御されて注水口６からミネラル水Ｍが出水される際に、希釈塩素注入用電磁弁４０が開制御され、希釈塩素注入用ポンプ３９が駆動されることで、一定量の希釈塩素が塩素希釈液袋３８から注入される。これにより、容器２内に出水されたミネラル水Ｍは所定の塩素濃度に維持されて雑菌の繁殖を防止している。
【００２５】
図４及び図５は塩素希釈液生成装置３０の構造を示す図であり、装置内に固定された上面開口の下ケース４５内に塩素希釈液袋３８が着脱自在に配設されている。この下ケース４５に納装した塩素希釈液袋３８の上に塩素原液袋３１を配設した上ケース４６が載置されている。
この上ケース４６の大きさは、下ケース４５より小さく形成されており、下ケース４５内に上ケース４６が入ることが可能となっている。また、上ケース４６は塩素希釈液袋３８の塩素希釈液が少なくなるに従い、塩素原液袋３１及び上ケース４６の自重により下降するようになっており、上ケース４６は塩素希釈液袋３８の上に単に載っている状態としてある。
【００２６】
また、下ケース４５の側面にはリミットスイッチからなる希釈液検知用センサー４７が設けられていて、この希釈液検知用センサー４７のアクチュエータ４８を駆動する断面を略Ｌ型とした駆動片４９が上ケース４６の側面に配設されている。
また、上ケース４６の側面にはリミットスイッチからなる原液検知用センサー５０が設けられており、この原液検知用センサー５０のアクチュエータ５１を駆動する断面を略Ｚ字型とした駆動片５２がフタ体５３の端部に設けられている。この平板状のフタ体５３は、上ケース４６の内側の側面に蝶番５４を介して開閉自在に設けられている。
【００２７】
フタ体５３は塩素原液袋３１の上に常時載った状態となっていて、塩素原液袋３１内に塩素原液が一杯入っている状態では、図４に示すように、その塩素原液袋３１の膨らみに応じてフタ体５３は大きく開いた状態となっている。塩素原液袋３１内の塩素原液が徐々に塩素希釈液袋３８に注入されて少なくなるに従い、塩素原液袋３１の膨らみは少なくなり、それに応じてフタ体５３の開き角度が小さくなり、徐々にフタ体５３は閉じていく。
塩素原液袋３１内の塩素原液が無くなって、フタ体５３が閉じるとフタ体５３に設けた駆動片５２がアクチュエータ５１を押すことで、原液検知用センサー５０がオンするようになっている。なお、塩素原液が無くなった場合だけでなく、塩素原液が一定量以下になった場合にも原液検知用センサー５０がオンするように該原液検知用センサー５０を上方に配置するようにしても良い。
【００２８】
また、塩素希釈液袋３８内に塩素希釈液が一杯入っている状態でも同様に塩素希釈液袋３８は膨らみ、その膨らみに応じて上ケース４６は図４に示すように下ケース４５に対して高い位置に位置している。塩素希釈液袋３８から塩素希釈液をミネラル水Ｍに注入していくに従い、塩素希釈液袋３８の膨らみも小さくなり、それに従い上ケース４６は自重により下降してくる。
塩素希釈液袋３８内の塩素希釈液が、ある一定量まで減少した場合に、下降してきた上ケース４６に設けてある駆動片４９は希釈液検知用センサー４７のアクチュエータ５１を押すことで、希釈液検知用センサー４７はオンするようになっている。
【００２９】
図６はミネラルウォータ自動販売装置１の全体のブロック図を示し、ミネラルウォータ自動販売装置１の全体を制御する制御部６０は、マイクロコンピュータで構成されており、上述した流量センサー１９、操作ボタン９、カード挿入口１０にカードを挿入した際に、それを検知するカードセンサー１３、希釈液検知用センサー４７、原液検知用センサー５０などからの信号が入力されている。
また、上記電磁弁２１、原液送給用ポンプ３２、原液送給用電磁弁３３、希釈塩素注入用ポンプ３９、希釈塩素注入用電磁弁４０、注水用電磁弁２０を制御している。また、原液検知用センサー５０からの信号が入力された際に、塩素原液袋３１内に塩素原液が無くなった旨を知らせるために制御部６０により報知ランプ１４を点灯ないし点滅させるようにしている。なお、この報知ランプ１４は、図１に示すように、ガイド部７に設けて管理者に報知し易くしている。
【００３０】
次に、生成水と塩素原液を混合して塩素希釈液袋３８内で塩素希釈液を生成する場合について説明する。図７に示すように、原液送給用電磁弁３３からの塩素原液を送給するチューブ３４と、生成水を送給するチューブ３７とが混合用具３５の２つの入力側に接続され、混合用具３５の出力側はチューブ３６が接続されて、このチューブ３６は塩素希釈液袋３８に接続されている。
制御部６０により原液送給用ポンプ３２と原液送給用電磁弁３３とが駆動され、原液送給用ポンプ３２が必要な塩素原液の量（例えば、０．６６ｃｃ）を送給するまで応動し、同時に原液送給用電磁弁３３は開いた状態となり、塩素原液は塩素原液袋３１から原液送給用ポンプ３２及び原液送給用電磁弁３３を介してチューブ３４内に送給される。
【００３１】
同時に制御部６０は電磁弁２１を開制御して、生成水はチューブ３７内に一定の量（例えば、２００ｃｃ）が送給される。混合用具３５内では、生成水と塩素原液とが混合・撹拌されて、チューブ３６を介して一気に塩素希釈液袋３８内に注入される。このようにして、混合用具３５内で塩素原液は生成水に攪拌されながら混合して塩素希釈液袋３８内に送給されるので、塩素希釈液袋３８内では攪拌が確実に行なわれ、且つ原液送給用電磁弁３３により塩素原液袋３１からの塩素原液が遮断されるので、塩素希釈液袋３８内の塩素希釈液の中で塩素濃度が異なるようなことが無くなる。すなわち、塩素希釈液袋３８内の塩素希釈液の塩素濃度は全体にわたってほぼ一定となり、従来のように場合によっては塩素濃度の濃い希釈塩素がミネラル水Ｍに注入されるということはない。これにより、塩素希釈液袋３８内の塩素希釈液は一定となり、ミネラル水Ｍに注入する塩素希釈液の塩素濃度を一定にすることができる。
なお、塩素原液袋３１内の塩素原液の塩素濃度を２４０００ｐｐｍとし、生成水を２００ｃｃに対して０．６６ｃｃを注入して、塩素希釈液袋３８内の塩素希釈液の塩素濃度を１／３００の８０ｐｐｍに希釈化している。
【００３２】
ここで、塩素希釈液生成装置３０を組み立てた場合、原液送給用電磁弁３３、塩素希釈液袋３８の配置関係から、原液送給用電磁弁３３と塩素希釈液袋３８との距離、つまり、チューブ３４、混合用具３５、及びチューブ３６の長さ寸法は約１０ｃｍであり、そのうち塩素原液がどうしても残留してしまうチューブ３４の長さは約１ｃｍである。
塩素原液袋３１から塩素原液は原液送給用電磁弁３３で完全に遮断されているが、原液送給用電磁弁３３の出力側から混合用具３５の入力側までのチューブ３４内には塩素原液が残留している。
【００３３】
しかしながら、混合用具３５に一定量の生成水が送給された後に電磁弁２１は閉制御されて、チューブ３７、混合用具３５及びチューブ３６内の生成水は塩素希釈液袋３８内に注入されるか、あるいは生成水が残留している。塩素希釈液袋３８内の塩素希釈液が減少していって、内部が負圧になっても、塩素希釈液袋３８内に送給されるのは、チューブ３６内の塩素原液が注入された生成水であり、塩素原液が塩素希釈液袋３８内に直接注入されることはない。
また、混合用具３５やチューブ３６内に生成水がなくて空気が入っている場合では、塩素原液が残留しているチューブ３４と塩素希釈液袋３８までは距離（約９ｃｍ）があるので、塩素原液自体が塩素希釈液袋３８に注入されることはない。
【００３４】
このように、チューブ３４内の残留塩素が時間の経過と共に塩素希釈液袋３８内に入り、塩素希釈液袋３８内の希釈塩素の希釈濃度が変化するということはない。また、混合用具３５内で塩素原液と生成水とが混合した混合水が塩素希釈液袋３８内に入っても、混合用具３５内では塩素希釈液袋３８内と同程度の希釈塩素となっているので、問題は生じない。
【００３５】
次に、塩素希釈液袋３８に混合用具３５で混合した混合水を注入する時について説明する。図８に示すように、塩素希釈液袋３８内の塩素希釈液が時間経過と共に減少して、満杯の例えば３００ｃｃから１００ｃｃに減少すると、塩素希釈液袋３８は徐々に膨らみが薄くなり、それに応じて上述したように、上ケース４６が下降してくる。
【００３６】
上ケース４６が下降して駆動片４９が希釈液検知用センサー４７のアクチュエータ４８を駆動すると、この希釈液検知用センサー４７からの信号が制御部６０に入力され、上記の電磁弁２１、原液送給用ポンプ３２及び原液送給用電磁弁３３を制御して塩素希釈液を生成する。電磁弁２１を介して送給される生成水は、約２００ｃｃであり、この流量は流量センサー１９で計測され、２００ｃｃを計測したらその信号が制御部６０に入力され、制御部６０は電磁弁２１を閉制御して生成水の送給を停止する。
また、原液送給用ポンプ３２により必要な量だけ塩素原液袋３１から塩素原液を送給した後は、原液送給用電磁弁３３を閉制御して、塩素原液の送給を停止する。
【００３７】
図９は塩素原液袋３１内の塩素原液が無くなった場合を示し、塩素原液が無くなると塩素原液袋３１の膨らみが無くなり、フタ体５３が閉じる。フタ体５３が閉じると、フタ体５３に設けた駆動片５２が原液検知用センサー５０のアクチュエータ５１を駆動し、原液検知用センサー５０からの信号が制御部６０へ送られる。
制御部６０では、原液検知用センサー５０からの信号により報知ランプ１４を点灯ないし点滅させてミネラルウォータ自動販売装置１の管理者に塩素原液袋３１の交換を報知させる。なお、塩素原液袋３１内に塩素原液が無くなっても、塩素希釈液袋３８内には、まだ、塩素希釈液が残っているので、ミネラル水Ｍの販売には支障はない。
【００３８】
このように、塩素原液袋３１及び塩素希釈液袋３８を柔軟な袋状で構成し、内容量の減少に応じて膨らみが薄くなるのを利用して、塩素原液や塩素希釈液が無くなったり、減少したのを検知するようにしているので、液量を検知する構成を簡素化できると共に、安価に構成することができる。
また、塩素原液袋３１及び塩素希釈液袋３８を柔軟な袋状で構成しているので、塩素原液や塩素希釈液に直接空気と接触することを極力抑えることが可能となる。
【００３９】
図１０は、原液送給用電磁弁３３と混合用具３５との間のチューブ３４を無くして混合用具３５に入力と原液送給用電磁弁３３の出力とを直結した場合の接続例を示すものである。この例では原液送給用電磁弁３３の出力側に混合用具３５を一体に形成したものであり、塩素原液が送給される原液送給用電磁弁３３の出口でチューブ３７からの生成水が送給され、混合用具３５内で完全に塩素原液が生成水に攪拌されて、塩素希釈液袋３８内での塩素希釈液の塩素濃度は所定の濃度に完全に維持されることになる。
また、原液送給用電磁弁３３が遮断されることで、塩素原液は原液送給用電磁弁３３の出力には塩素原液が漏れ出すということはない。したがって、塩素希釈液袋３８内は全体にわたって同じ塩素濃度とすることができる。すなわち、原液送給用電磁弁３３と混合用具３５とを一体に構成していることで、塩素原液は原液送給用電磁弁３３にて完全に遮断されるとともに、原液送給用電磁弁３３の出力側には塩素原液はほとんど残らず、そのため、塩素原液が塩素希釈液袋３８内に送給されることはなく、塩素希釈液袋３８内での塩素希釈液の塩素濃度を一定に維持することができる。
【００４０】
図１１は上記の原液送給用電磁弁３３の代わりに逆止弁６２を用いた場合を示し、通流室６３の前後の隔壁６４、６５に通流孔６６、６７が穿孔され、一方の通流孔６６の内側に該通流孔６６より大きなボール６８を配設している。また、他方の隔壁６５の内側面とボール６８との間にスプリング６９を介装し、このスプリング６９の弾発力によりボール６８を隔壁６４に付勢して、該ボール６８で通流孔６６を閉塞している。
原液送給用ポンプ３２により塩素原液が送給されると、その圧力にてボール６８が押されて通流孔６６から離れて塩素原液が通流孔６６を介して送給される。原液送給用ポンプ３２が停止すると、スプリング６９の復帰力にてボール６８が通流孔６６を閉じ、塩素原液は完全に遮断されることになる。
【００４１】
次に、ミネラルウォータ自動販売装置１において、ミネラル水Ｍが注水される制御動作について説明する。図２に示すように、ミネラルウォータ自動販売装置１は公営水道に直結されており、その水道圧により浄水器１５、活水器１７、除菌器１８へ生成水が送られる。なお、送給の経路の途中に注水口６へ生成水（ミネラル水Ｍ）を送給するための加圧ポンプを介設するようにしても良い。
浄水器１５で水道水Ｗに含まれている塩素、有機物、トリハロメタンなどが取り除かれた後、浄水器１５を出た生成水は炭酸ガスボンベ１６からの炭酸ガスが注入され活水器１７に送給され、この活水器１７において生成水が粒状麦飯石などの鉱石と接触してミネラル成分などを溶出し、同時に炭酸ガスによりミネラル成分の溶出が促進されてミネラル水Ｍが生成される。
【００４２】
活水器１７からは除菌器１８、流量センサー１９及び注水用電磁弁２０を介して注水口６まで送給されるようになっており、また、注水口６には塩素希釈液生成装置３０にて８０ｐｐｍの塩素濃度に生成・調整された希釈塩素が微量（１リットルに１ｃｃ）ミネラル水Ｍに注入される。
【００４３】
先ず、利用者がミネラルウォータ自動販売装置１のカード挿入口１０にカードを挿入すると（またはコインを入れると）、図６に示すカードセンサー１３がこれを検知し、この検知信号が制御部６０に送られる。カードセンサー１３からの検知信号を受けると制御部６０は、扉４のロックを解除する。
次に、利用者は扉４を開けて容器２を注水口６の下方にセットして扉４を閉めて操作ボタン９を押操作する。操作ボタン９が押操作されると、所望の水量表示のボタンが点灯し、そのボタンを押すと、制御部６０が注水用電磁弁２０を開制御してミネラル水Ｍが注水口６を介して容器２に注入される。この時の容器２への注入量は、例えば２リットルとしている。
【００４４】
また、注水口６へのミネラル水Ｍの出水の際には、塩素希釈液生成装置３０から注水口６に塩素濃度が８０ｐｐｍとした塩素が微量注入される。結果として容器２内に出水されたミネラル水Ｍの塩素濃度は、０．０８ｐｐｍとなるようにして、利用者が自宅に持ち帰って、しばらく、例えば１週間程度置いていても、容器２内のミネラル水Ｍに雑菌が繁殖しないようにしている。
また、たとえ、容器２内に雑菌が繁殖したとしても、その量は法律で規定されている数値以下となるようにしている。
【００４５】
この２リットルの量は流量センサー１９で計測しており、２リットルが計測されると、流量センサー１９から信号が制御部６０に送られ、制御部６０は注水用電磁弁２０を閉制御する。
容器２に２リットルのミネラル水Ｍが出水されると、利用者は扉４を開けて容器２を取り出す。
【図面の簡単な説明】
【００４６】
【図１】本発明の実施の形態におけるミネラルウォータ自動販売装置の正面図である。
【図２】本発明の実施の形態における公営水道水からミネラル水を生成、出水するまでのフローを示した図である。
【図３】本発明の実施の形態における塩素希釈液生成装置の構成図である。
【図４】本発明の実施の形態における塩素希釈液生成装置の機構的な構造を示す図である。
【図５】本発明の実施の形態における塩素希釈液生成装置の機構的な構造を示す側面から見た図である。
【図６】本発明の実施の形態におけるミネラルウォータ自動販売装置の全体のブロック図である。
【図７】本発明の実施の形態における塩素希釈液生成装置の説明図である。
【図８】本発明の実施の形態における塩素希釈液生成装置の塩素希釈液袋内の塩素希釈液が少なくなった場合の検知を示す図である。
【図９】本発明の実施の形態における塩素希釈液生成装置の塩素原液袋内の塩素原液が無くなった場合の検知を示す図である。
【図１０】本発明の実施の形態における塩素希釈液生成装置の混合用具の他の接続例を示す図である。
【図１１】本発明の実施の形態における塩素希釈液生成装置に用いている原液送給用電磁弁の変わりに用いた逆止弁の断面図である。
【図１２】従来例のミネラルウォータ自動販売装置の塩素希釈液を生成する場合の構成図である。
【符号の説明】
【００４７】
１  ミネラルウォータ自動販売装置
６  注水口
１５  浄水器
１７  活水器
３０  塩素希釈液生成装置
３１  塩素原液袋
３８  塩素希釈液袋
４６  上ケース
４７  希釈液検知センサー
５０  原液検知用センサー
５３  フタ体
Ｗ  水道水
Ｍ  ミネラル水